(57)【特許請求の範囲】
【請求項１】
ディジタルオーディオ信号の送受信を行うための第１の送受信部及び該第１の送受信部における上記ディジタルオーディオ信号の転送速度を可変制御する第１の制御部を有する第１の装置と、
上記第１の装置の送受信部と双方向通信用部材で接続された第２の送受信部、該第２の送受信部が受信した上記ディジタルオーディオ信号を記憶するための記憶部、該記憶部から上記ディジタルオーディオ信号を読み出してアナログオーディオ信号に変換を行うための変換部及びこれらの各部の制御を司る第２の制御部を有する第２の装置と、
を有し、
上記第１の装置と上記第２の装置との間で上記ディジタルオーディオ信号の伝送を行うディジタルオーディオ信号伝送装置であって、
上記第１の送受信部と上記第２の送受信部との間の通信を行う第１の基準クロック信号を発生する第１の基準クロック発生部と、
上記変換部に対してディジタルオーディオ信号からアナログオーディオ信号に変換するための第２の基準クロック信号を発生する第２の基準クロック発生部と、
を少なくとも備え、
上記第２の装置の上記第２の制御部が上記記憶部に記憶されている上記ディジタルオーディオ信号のデータ量を監視して、上記第１の基準クロック信号の転送速度が上記第２の基準クロック信号の変換速度より高く、上記記憶部に記憶されているデータ量が所定の基準値より大きい場合には、上記第１の基準クロック信号の転送速度を上記第２の基準クロック信号の変換速度よりも低くし、上記第１の基準クロック信号の転送速度が上記第２の基準クロック信号の変換速度より低く、上記記憶部に記憶されているデータ量が所定の基準値よりも小さい場合には、上記第１の基準クロック信号の転送速度を上記第２の基準クロック信号の変換速度よりも高くするように上記第１の制御部によって可変制御するようにした
ことを特徴とするディジタルオーディオ信号伝送装置。
【請求項２】
ディジタルオーディオ信号の送受信を行うための第１の送受信部及び該第１の送受信部における上記ディジタルオーディオ信号の転送速度を可変制御する第１の制御部を有する第１の装置と、該第１の装置の送受信部と双方向通信用部材で接続された第２の送受信部、該第２の送受信部が受信した上記ディジタルオーディオ信号を記憶するための記憶部、該記憶部から上記ディジタルオーディオ信号を読み出してアナログオーディオ信号に変換を行うための変換部及びこれらの各部の制御を司る第２の制御部からなる第２の装置との間で上記ディジタルオーディオ信号の伝送を行うディジタルオーディオ信号伝送方法であって、
上記第１の送受信部と上記第２の送受信部との間の通信を行う第１の基準クロック信号を発生する第１の基準クロック発生部と、
上記変換部に対してディジタルオーディオ信号からアナログオーディオ信号に変換するための第２の基準クロック信号を発生する第２の基準クロック発生部と、
を少なくとも設け、
上記第２の装置の上記第２の制御部が上記記憶部に記憶されている上記ディジタルオーディオ信号のデータ量を監視して、上記第１の基準クロック信号の転送速度が上記第２の基準クロック信号の変換速度より高く、上記記憶部に記憶されているデータ量が所定の基準値より大きい場合には、上記第１の基準クロック信号の転送速度を上記第２の基準クロック信号の変換速度よりも低くし、上記第１の基準クロック信号の転送速度が上記第２の基準クロック信号の変換速度より低く、上記記憶部に記憶されているデータ量が所定の基準値よりも小さい場合には、上記第１の基準クロック信号の転送速度を上記第２の基準クロック信号の変換速度よりも高くするように上記第１の制御部によって可変制御する
ことを特徴とするディジタルオーディオ信号伝送方法。
【発明の詳細な説明】
【０００１】
【発明の属する技術分野】
本発明は、データ転送速度の可変設定が可能なディジタルオーディオ信号伝送技術に関するものである。
【０００２】
【従来の技術】
ディジタル信号の伝送にあたっては、クロック情報を含むディジタルデータを転送して受信側でクロック情報を再生する方法が知られている。
【０００３】
図６はそのような構成例の要部を示しており、送信側の装置Ａ内には、基準クロック信号発生部ａ（水晶発振器等）を有するトランスポート部ｂと、その制御を司る制御部ｃ（マイクロコンピュータ等）、そして、外部装置との接続用のインターフェース（Ｉ／Ｆ）部ｄとを備えている。
【０００４】
尚、トランスポート部ｂには、オーディオ信号等をディジタル信号として記録した記録媒体から情報を再生して外部装置に出力する装置や、ディジタルデータの通信装置等が含まれる。
【０００５】
他方、受信側の装置Ｂには、上記装置Ａのインターフェース部ｄから光ケーブルや同軸ケーブル等の接続部材ｅを介して情報を受け取るインターフェース部ｆが設けられており、該インターフェース部ｆの後段にＤＡＣ（ディジタル−アナログコンバータ）部ｇ（例えば、１ビットＤＡＣ等。）が配置され、これらの制御を制御部ｈ（マイクロコンピュータ等）が司っている。
【０００６】
しかして、装置Ａの基準クロック信号発生部ａによって生成して基準クロック信号はトランスポート部ｂからディジタルデータとともにインターフェース部ｄに送られ、ここから接続部材ｅを介して装置Ｂのインターフェース部ｆに送出される。インターフェース部ｆはディジタルデータとクロック信号を分離してこれらをＤＡＣ部ｇに送出し、ここでクロック信号の再生及びＤ（ディジタル）／Ａ（アナログ）変換が行われる。
【０００７】
ところで、ＤＡＣ部ｇで用いられるクロック信号は、インターフェース部ｆの出力する信号から再生されたクロック信号であるため、装置Ａと装置Ｂとの間でクロック信号の同期ずれは生じないが、再生されたクロック信号がジッター（時間的揺らぎ）成分を含んでいるとＤ／Ａ変換後のデータの信号劣化（例えば、音質や画質の劣化等）を惹き起こす虞がある。
【０００８】
そこで、この不都合を解決するためには、図７に示すように、装置Ａのトランスポート部ｂ′には基準クロック信号発生部を設けずに、装置ＢのＤＡＣ部ｇ′に基準クロック信号発生部ｉを付設して、ＤＡＣ部ｇ′から装置Ａに同期信号Ｓｙを送出するようにした構成が挙げられる。
【０００９】
即ち、この場合には、ジッター成分の少ない安定なクロック信号をＤＡＣ部ｇ′が生成することで高品位のＤ／Ａ変換を行うことができるため、信号劣化が少なくなるが、装置Ａと装置Ｂとの間でクロック信号の同期ずれを無くすためには、接続部材ｅ′を介して同期信号Ｓｙを装置ＢのＤＡＣ部ｇ′から装置Ａのトランスポート部ｂ′に送る必要がある。
【００１０】
また、近時において普及し始めているＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４規格では、オーディオデータのみならず各種のデータ（画像信号やコントロール信号等。）を同時に１本のケーブルで伝送する方法が提案されており、当該規格中でオーディオデータを転送するための構成を示したものが図８である。
【００１１】
この場合には、複数の装置に対する通信の基準クロック信号を発生するマスターとして装置Ｃを設けることでクロック信号の同期取りを行う方法を用いており、当該装置Ｃ内に基準クロック信号発生部ｊ及び双方向インターフェース部ｋが設けられ、双方向インターフェース部ｋが制御部（マイクロコンピュータ等）ｌの制御下に置かれている。
【００１２】
また、送信側の装置Ａ内に設けられたトランスポート部ｂ′と双方向インターフェース部ｄ′は制御部ｃの制御下に置かれ、双方向インターフェース部ｄ′が接続部材（ケーブル）ｍによって装置Ｃの双方向インターフェース部ｋに接続されるとともに、接続部材（ケーブル）ｎによって装置Ｂ内の双方向インターフェース部ｆ′に接続されている。
【００１３】
装置Ｂ内にはその制御部ｈの制御下に置かれた双方向インターフェース部ｆ′及びＤＡＣ部ｇが設けられており、双方向インターフェース部ｆ′によって分離されたクロック信号とデータとがＤＡＣ部ｇに送出され、ここでクロック信号の再生及びＤ／Ａ変換が行われる。尚、双方向インターフェース部ｆ′はケーブルを介して装置Ａ以外の他の装置のインターフェース部に接続することができる。
【００１４】
【発明が解決しようとする課題】
しかしながら、上記した各構成については下記に示す問題がある。
【００１５】
（１）図７に示す構成では、装置Ａから装置Ｂにデータを送出するための接続部材ｅと、装置Ｂから装置Ａに同期信号Ｓｙを送出するための接続部材ｅ′とが必要であり、伝送経路を１本化することができず接続関係が複雑化する。
【００１６】
（２）図８に示す構成によれば、複数の装置において基準クロック信号の共通化を図ることはできるが、装置Ｂにおいて同期を取り直した後のジッター成分の多いクロック信号でＤ／Ａ変換が行われると、やはり信号劣化が惹き起こされる虞がある。
【００１７】
そこで、本発明は、信号伝送経路の複雑化や信号劣化を伴うことなくディジタル信号を伝送することを課題とする。
【００１８】
【課題を解決するための手段】
本発明は上記した課題を解決するために、ディジタルオーディオ信号の送受信を行うための第１の送受信部及び該第１の送受信部における上記ディジタルオーディオ信号の転送速度を可変制御する第１の制御部を有する第１の装置と、該第１の装置の送受信部と双方向通信用部材で接続された第２の送受信部、該第２の送受信部が受信した上記ディジタルオーディオ信号を記憶するための記憶部、該記憶部から上記ディジタルオーディオ信号を読み出してアナログオーディオ信号に変換を行うための変換部及びこれらの各部の制御を司る第２の制御部からなる第２の装置との間で上記ディジタルオーディオ信号の伝送を行うディジタルオーディオ信号伝送装置或いは方法であって、上記第１の送受信部と上記第２の送受信部との間の通信を行う第１の基準クロック信号を発生する第１の基準クロック発生部と、上記変換部に対してディジタルオーディオ信号からアナログオーディオ信号に変換するための第２の基準クロック信号を発生する第２の基準クロック発生部と、を少なくとも設け、上記第２の装置の上記第２の制御部が上記記憶部に記憶されている上記ディジタルオーディオ信号のデータ量を監視して、上記第１の基準クロック信号の転送速度が上記第２の基準クロック信号の変換速度より高く、上記記憶部に記憶されているデータ量が所定の基準値より大きい場合には、上記第１の基準クロック信号の転送速度を上記第２の基準クロック信号の変換速度よりも低くし、上記第１の基準クロック信号の転送速度が上記第２の基準クロック信号の変換速度より低く、上記記憶部に記憶されているデータ量が所定の基準値よりも小さい場合には、上記第１の基準クロック信号の転送速度を上記第２の基準クロック信号の変換速度よりも高くするように上記第１の制御部によって可変制御するようにした、或いはすることを特徴とする。
【００１９】
従って、本発明によれば、第１の装置と第２の装置との間のデータの送受信については各装置の送受信部を双方向通信用部材で接続することで行うことができ、また、第２の装置内の変換部に対して安定した基準クロック信号を発生する基準クロック信号発生部を付設し、第１の送受信部と上記第２の送受信部との間の通信を行う第１の基準クロック信号を発生する第１の基準クロック発生部の他に、上記変換部に対してディジタルオーディオ信号からアナログオーディオ信号に変換するための第２の基準クロック信号を発生する第２の基準クロック発生部を少なくとも設け、第２の装置の制御部（第２の制御部）が第２の装置の記憶部に記憶されている上記ディジタルオーディオ信号のデータ量を監視して、上記第１の基準クロック信号の転送速度が上記第２の基準クロック信号の変換速度より高く、上記記憶部に記憶されているデータ量が所定の基準値より大きい場合には、上記第１の基準クロック信号の転送速度を上記第２の基準クロック信号の変換速度よりも低くし、上記第１の基準クロック信号の転送速度が上記第２の基準クロック信号の変換速度より低く、上記記憶部に記憶されているデータ量が所定の基準値よりも小さい場合には、上記第１の基準クロック信号の転送速度を上記第２の基準クロック信号の変換速度よりも高くするように上記第１の制御部によって可変制御することによって信号伝送に伴う時間的変動の影響をなくして信号劣化を防止することができる。
【００２０】
【発明の実施の形態】
図１は本発明ディジタルオーディオ信号伝送装置１の基本構成を示すものであり、第１の装置Ａ及び第２の装置Ｂを有している。
【００２１】
第１の装置Ａは、ディジタル信号の送受信を行うための送受信部２と、該送受信部２におけるデータ転送速度を可変制御する制御部３とを有している。尚、送受信部２には、ディジタル信号を記録した記録媒体、例えば、ＣＤ（コンパクトディスク）、ＤＶＤ（ディジタルビデオディスク）、ＤＡＴ（ディジタルオーディオテープ）等からデータを再生して出力するトランスポート部、あるいはディジタル信号の送受信を行う通信部、第２の装置Ｂとの通信用インターフェースに必要な手段等が含まれる。
【００２２】
また、第２の装置Ｂは、第１の装置Ａの送受信部２と双方向通信用部材４で接続された送受信部５と、該送受信部５が受信したデータを一時的に記憶するための記憶部６と、該記憶部６からデータを読み出して信号変換（例えば、Ｄ／Ａ変換や信号形式の変換等）を行うための変換部７と、これらの各部の制御を司る制御部８とを有している。
【００２３】
変換部７に対しては基準クロック信号を発生するための基準クロック信号発生部９が第２の装置Ｂ内に設けられており、変換部７による変換後の出力信号が第２の装置Ｂの出力とされる。
【００２４】
第２の装置Ｂの制御部８は、記憶部６の使用状況を監視して双方向通信用部材４を介して第１の装置Ａの制御部３に信号を送出することにより、装置Ａの送受信部２から装置Ｂの送受信部５へのデータ転送速度を可変制御する。
【００２５】
記憶部６の使用状況についての監視事項としては、下記に示すようにデータ残量やメモリー残量が挙げられる。
【００２６】
（ｉ）データ残量＝記憶部内に蓄えられているデータの量
（ｉｉ）メモリー残量＝記憶部の記憶容量から記憶部内に蓄えられているデータ量を差し引いた量、即ち、空き容量。
【００２７】
上記（ｉ）のデータ残量によって記憶部６の使用状況を監視する場合には、第２の装置Ｂの制御部８から双方向通信用部材４を介して第１の装置Ａの制御部３に信号を送出することによって、データ残量が基準値より多い場合には、装置Ａの送受信部２から装置Ｂの送受信部５へのデータ転送速度を遅くし、データ残量が基準値より少ない場合には、装置Ａの送受信部２から装置Ｂの送受信部５へのデータ転送速度を速くするように制御を行う。
【００２８】
図２は横軸にデータ残量やメモリー残量をとり、縦軸にデータ転送速度をとって両者の関係を概念的に示したものであり、例えば、記憶部６のデータ残量が許容範囲（図に「ΔＷ」で示す。）内である場合のデータの転送速度を「１」とするとき、データ残量が多い場合には当該データ残量に応じて転送速度をα（０＜α＜１）倍の速度に落とし、またデータ残量が少ない場合には当該データ残量に応じて転送速度をβ（＞１）倍の速度とする。
【００２９】
また、これに限らず、図２に破線の線分Ｇ１や２点鎖線の曲線Ｇ２で示すようにデータ残量の増加につれてデータ転送速度が次第に減少するような設定を採用する等、各種の態様が可能である。
【００３０】
上記（ｉｉ）のメモリー残量によって記憶部６の使用状況を監視する場合（記憶部内のデータ量については、記憶部がオーバーフローしない程度にできるだけ多くのデータを記憶部に溜め込むようにするのが理想的であり、そのためにはメモリー残量を把握することが基本となる。）には、第２の装置Ｂの制御部８から双方向通信用部材４を介して第１の装置Ａの制御部３に信号を送出することによって、メモリー残量が基準値より少ない場合には、装置Ａの送受信部２から装置Ｂの送受信部５へのデータ転送速度を遅くし、メモリー残量が基準値より多い場合には、装置Ａの送受信部２から装置Ｂの送受信部５へのデータ転送速度を速くするように制御を行う。
【００３１】
例えば、図２に示すように、メモリー残量が許容範囲ΔＷ内である場合のデータの転送速度を「１」とするとき、メモリー残量が少ない場合には当該メモリー残量に応じて転送速度をα（０＜α＜１）倍の速度に落とし、またメモリー残量が多い場合には当該データ残量に応じて転送速度をβ（＞１）倍の速度としたり、あるいは、同図に示す線分Ｇ１や曲線Ｇ２のようにメモリー残量の増加に伴ってデータ転送速度が連続的に増加するような設定を採用することができる。
【００３２】
図１に示す装置Ｃは前記したＩＥＥＥ１３９４規格を採用した場合のように通信基準クロック信号を発する手段（通信基準クロック信号発生部）１０を有する装置であり、当該装置Ｃから通信基準クロック信号が双方向通信用部材４′を介して第１の装置Ａの送受信部２に送出される。そして、第１の装置Ａの送受信部２は通信基準クロック信号を含む情報を第２の装置Ｂの送受信部５に送出することになるが、変換部７で用いられる基準クロック信号は上記した基準クロック信号発生部９によって得られる安定した（ジッター成分のほとんどない）クロック信号であるので、信号変換時に信号劣化の低下を伴うことがない。
【００３３】
また、データ転送速度の決定権については、これを装置Ａ又は装置Ｂの制御部に与えることができる。例えば、決定権を装置Ａの制御部３に付与する場合には、装置Ｂの制御部８は記憶部６の使用状況に係る報告だけを装置Ａの制御部３に対して行い、該報告を受けた装置Ａの制御部３がデータ転送速度を決定する。また、決定権を装置Ｂの制御部８に付与する場合には、当該制御部８が記憶部６の使用状況を把握し、これに応じたデータ転送速度の指示を装置Ａの制御部３に送出してデータ転送速度を決定する。
【００３４】
【実施例】
図３乃至図５は本発明の実施例を示しており、ディジタル音声メディアを再生するトランスポート部を有する装置及びその再生データをメモリーに一旦蓄えた後でＤＡＣ部でＤ／Ａ変換してアナログ信号を出力する装置を有する音響再生装置１１において、メモリーの使用状況を監視して、トランスポート部とＤＡＣ部との間のコンピュータ通信によってデータ転送速度を可変制御するようにした構成例を示すものである。
【００３５】
図３において装置Ａ内にはトランスポート部１２と双方向インターフェース部１３とが設けられており、これらはマイクロコンピュータ１４の制御下に置かれている。トランスポート部１２は図示しないディジタル音声メディアからデータを再生した後双方向インターフェース部１３を介して装置Ｂに送出する。尚、トランスポート部１２と双方向インターフェース部１３が上記した送受信部２に相当し、マイクロコンピュータ１４が上記した制御部３に相当しており、トランスポート部１２はマイクロコンピュータ１４からの指示信号Ｓｔを受けてデータの再生速度が可変制御されるようになっている。
【００３６】
装置Ｂには双方向インターフェース部１５が設けられており、通信ケーブル１６を介して装置Ａの双方向インターフェース部１３に接続されている。そして、双方向インターフェース部１５の後段には所定の記憶容量を有するメモリー１７が設けられており、該メモリー１７から読み出されたデータがＤＡＣ部１８に送出される。
【００３７】
尚、双方向インターフェース部１５が上記送受信部５に、メモリー１７が上記記憶部６に、ＤＡＣ部１８が上記変換部７にそれぞれ相当しており、これらは装置Ｂ内のマイクロコンピュータ１９（上記制御部８に相当する。）の制御下に置かれている。
【００３８】
また、マイクロコンピュータ１９は、メモリー１７のデータ残量を常に監視しており（図３においてメモリー１７からマイクロコンピュータ１９に向かう信号Ｓｍを参照。）、データ残量に対応するデータ転送速度を装置Ａのマイクロコンピュータ１４に対して指示する。
【００３９】
ＤＡＣ部１８には安定した基準クロック信号（以下、これを「Ｓｃｋ」と記す。）を発生するための基準クロック信号発生部２０が設けられており、これが上記した基準クロック信号発生部９に相当する。
【００４０】
装置Ｃは、複数の装置に対する通信基準クロック信号を発生するマスターとしての装置であり、内部に基準クロック信号発生部２１及び双方向インターフェース部２２が設けられ、双方向インターフェース部２２がマイクロコンピュータ２３の制御下に置かれている。そして、双方向インターフェース部２２は通信ケーブル２４を介して装置Ａの双方向インターフェース部１３に接続されている。
【００４１】
図４は制御の一例を示すフローチャート図であり、先ず、ステップＳ１において装置Ｂのマイクロコンピュータ１９がメモリー１７内のデータ量を測定することによってデータ残量を把握した後、次ステップＳ２で装置Ｂのマイクロコンピュータ１９は、データ残量が基準範囲（例えば、メモリー容量の８０〜９０％）内であるか否かを判断する。
【００４２】
即ち、データ残量が基準範囲内である場合にはステップＳ３に進み、データ残量が基準範囲内でない場合については、データ残量が基準範囲の下限値より少ない場合とデータ残量が基準範囲の上限値より多い場合とに分け、前者の場合にはステップＳ６に進み、後者の場合にはステップＳ９に進む。
【００４３】
ステップＳ３では、装置Ｂのマイクロコンピュータ１９が装置Ａのマイクロコンピュータ１４に対してデータ転送速度を基準速度の１倍とするように指示を出した後、次ステップＳ４では、装置Ａのマイクロコンピュータ１４が装置Ｂのマイクロコンピュータ１９からの指示を受けてトランスポート部１２の再生速度を基準速度に調整するとともに、転送レートを基準値とする。これによって、ステップＳ５ではデータの転送速度が上記基準速度の１倍に設定される。
【００４４】
また、ステップＳ６では、装置Ｂのマイクロコンピュータ１９が装置Ａのマイクロコンピュータ１４に対してデータ転送速度を基準速度の１．２倍とするように指示を出した後、次ステップＳ７では、装置Ａのマイクロコンピュータ１４が装置Ｂのマイクロコンピュータ１９からの指示を受けてトランスポート部１２の再生速度を調整し、これに合わせて転送レートを変更する。こうして、ステップＳ８ではデータの転送速度が上記基準速度の１．２倍に設定される。
【００４５】
他方、ステップＳ９では、装置Ｂのマイクロコンピュータ１９が装置Ａのマイクロコンピュータ１４に対してデータ転送速度を基準速度の０．８倍とするように指示を出した後、次ステップＳ１０では、装置Ａのマイクロコンピュータ１４が装置Ｂのマイクロコンピュータ１９からの指示を受けてトランスポート部１２の再生速度を調整し、これに合わせて転送レートを変更する。こうして、ステップＳ１１ではデータの転送速度が上記基準速度の０．８倍に設定される。
【００４６】
上記のようにデータ転送速度が制御されるディジタルデータは装置Ａの双方向インターフェース部１３から装置Ｂの双方向インターフェース部１５を介してメモリー１７内に一旦蓄えられた後で、順次に読み出され、ＤＡＣ部１８においてＤ／Ａ変換されてアナログ信号となる。そして、ステップＳ５、Ｓ８、Ｓ１１から再びステップＳ１に戻ることでメモリー残量の監視及びデータ転送速度の制御がデータ転送の終了まで繰り返される。
【００４７】
装置ＢのＤＡＣ部１８は、装置Ｃからの通信の基準クロックとは無関係にＤＡＣ部に付設した基準クロック信号発生部２０の基準クロック信号Ｓｃｋに従ってメモリー１７のデータのＤ／Ａ変換を行うことができるので、ジッター成分の極めて少ないクロック信号を用いて音質の良好なアナログオーディオ信号を得ることができる。
【００４８】
尚、装置Ａにおいてディジタル音声メディアの再生動作を開始した時点から後の各装置の動作を簡単に説明すると、先ず、再生開始直後には装置Ｂのメモリー１７内にデータがほとんど格納されていないので、装置Ｂのマイクロコンピュータ１９から装置Ａのマイクロコンピュータ１４に対してデータ転送速度を基準速度の１．２倍にする指示が出される（図４のステップＳ６参照）。これによって装置Ａではディジタル音声メディアを基準速度値の１．２倍の再生速度をもって再生し、装置ＢではＤＡＣ部１８の基準クロック信号Ｓｃｋに従ってメモリー１７から読み出してこれをアナログ信号に変換して行く。
【００４９】
装置Ａからは基準速度の１．２倍の転送速度でデータが送出されて装置Ｂのメモリー１７に徐々に格納されて、データ残量が時間の経過に伴って増えていく。そして、メモリー１７内のデータ量が基準範囲の下限値、例えば、メモリー容量の８０％程度に相当する値に達すると、装置Ｂのマイクロコンピュータ１９から装置Ａのマイクロコンピュータ１４に対して、データ転送速度を基準速度の１倍にする指示が出される（図４のステップＳ３参照）。装置Ａのマイクロコンピュータ１４はこの指示に従ってディジタル音声メディアの再生速度及び転送レートを基準値の１倍の値に変更する。
【００５０】
再生速度等が基準値に変更されるには有限の時間を必要とするため、この間にもメモリー１７のデータ量は増加していき、例えば、これがメモリー容量の８０数％となる。
【００５１】
このデータ量については、装置Ａの送信時のクロック信号とＤＡＣ部１８の基準クロック信号Ｓｃｋとの間で同期がとれている場合には変化することなく一定である。何故なら、再生速度及び転送レートが基準値とされ、メモリー１７内のデータは該基準値に等しいか又は大きいレート（周波数）の基準クロック信号ＳｃｋでＤ／Ａ変換を行っているで、データ残量がそれ以上増えることはないからである。
【００５２】
しかし、このような同期をとっていない場合には、データ残量が一定の平衡値を保つことがなく変動する。
【００５３】
例えば、装置Ａのトランスポート部１２を含む送信系がＤＡＣ部１８の動作より速い速度でデータを装置Ｂに送出してくる場合には、データ残量が基準範囲の下限値に達した後も少しずつ増加していく。そして、データ残量が基準範囲の上限値、例えば、メモリー容量の９０％に相当する値を越えると、装置Ｂのマイクロコンピュータ１９から装置Ａのマイクロコンピュータ１４に対してデータ転送速度を基準速度の０．８倍にするように指示が出され、データ転送速度が変更される（図４のステップＳ９乃至Ｓ１１参照。）。これ以降、データ残量が基準範囲の上限値以下となるまで、データ転送速度が基準速度の０．８倍となる。そして、データ残量が基準範囲の上限値以下となった場合には、データ転送速度が変更されて再び基準速度（の１倍）となり、基準範囲の上限値を中心とするデータ残量の変動に応じてデータ転送速度が可変制御される。
【００５４】
他方、装置Ａのトランスポート部１２を含む送信系がＤＡＣ部１８の動作より遅い速度でデータを装置Ｂに送出してくる場合には、データ残量はその基準範囲の下限値をやや越えた量（例えば、メモリー容量の８０数％）から少しずつ減少し、やがては基準範囲の下限値を下回ることになる。その際、装置Ｂのマイクロコンピュータ１９から装置Ａのマイクロコンピュータ１４に対してデータ転送速度を基準速度の１．２倍にするように指示が出され、データ転送速度が変更される（図４のステップＳ６乃至Ｓ８参照。）。これ以降、データ残量が基準範囲の下限値以上となるまで、データ転送速度が基準速度の１．２倍となる。そして、データ残量が基準範囲の下限値以上となった場合には、データ転送速度が変更されて再び基準速度（の１倍）となり、基準範囲の下限値を中心とするデータ残量の変動に応じてデータ転送速度が可変制御される。
【００５５】
尚、上記の説明では、データ残量に対して、図４のステップＳ２に示すように基準範囲を設定し、データ残量の判断につき３つの範囲に分けた例を示したが、これより詳細な範囲分けを行っても良いし、また、データ残量に係る基準範囲がメモリー容量の８０％乃至９０％に限定されることなく、当該範囲を送信速度やＤＡＣ部の変換速度に応じて適宜に設定できることは勿論である。
【００５６】
また、上記の例では、データ転送速度の決定権が装置Ｂのマイクロコンピュータ１９にあり、該マイクロコンピュータ１９がメモリー１７の使用状況を判断して装置Ａのマイクロコンピュータ１４に対して、データ転送速度の指示を出していたが、装置Ｂのマイクロコンピュータ１９がメモリー１７の使用状況（データ残量又はメモリー残量）に関する情報だけを装置Ａのマイクロコンピュータ１４に送出して、当該情報に基づいて装置Ａのマイクロコンピュータ１４がデータ転送速度を決定してトランスポート部１２に指示を出すように構成することもでき、この場合には、例えば、図５に示すフローチャート図に示すような処理が行われる。
【００５７】
即ち、ステップＳ１において装置Ｂのマイクロコンピュータ１９がメモリー１７内のデータ量を測定することによってデータ残量若しくはメモリー残量を把握した後、次ステップＳ２ではデータ残量若しくはメモリー残量についての情報を装置Ｂのマイクロコンピュータ１９が装置Ａのマイクロコンピュータ１４に通知する。
【００５８】
次ステップＳ３で装置Ａのマイクロコンピュータ１４は、データ残量が基準範囲（例えば、メモリー容量の８０〜９０％）内であるか否かを判断する。
【００５９】
即ち、データ残量が基準範囲内である場合にはステップＳ４に進み、データ残量が基準範囲内でない場合については、データ残量が基準範囲の下限値より少ない場合とデータ残量が基準範囲の上限値より多い場合とに分け、前者の場合にはステップＳ６に進み、後者の場合にはステップＳ８に進む。
【００６０】
ステップＳ４では、装置Ａのマイクロコンピュータ１４がトランスポート部１２の再生速度を基準速度に調整するとともに、転送レートを基準値とする。これによって、ステップＳ５ではデータの転送速度が上記基準速度の１倍に設定され、その後ステップＳ１に戻る。
【００６１】
また、ステップＳ６では、装置Ａのマイクロコンピュータ１４がトランスポート部１２の再生速度を調整するとともに、これに合わせて転送レートを変更し、ステップＳ７でデータの転送速度を上記基準速度の１．２倍に設定した後、ステップＳ１に戻る。
【００６２】
ステップＳ８では、装置Ａのマイクロコンピュータ１４が装置Ｂのトランスポート部１２の再生速度を調整するとともに、これに合わせて転送レートを変更し、ステップＳ９でデータの転送速度を上記基準速度の０．８倍に設定した後、ステップＳ１に戻る。
【００６３】
尚、上記したメモリー１７の記憶容量を大きくすることによって、音飛びの防止、つまり、ＥＳＰ（Ｅｌｅｃｔｒｏｎｉｃ  Ｓｈｏｃｋ  Ｐｒｏｔｅｃｔｉｏｎ）処理に利用することもできる。ここで、「ＥＳＰ処理」とは、音飛びガードメモリ（あるいはＳｈｏｃｋ  Ｒｅｓｉｓｔａｎｔ  Ｍｅｍｏｒｙ）と称される記憶手段をバッファとして用いて外乱に起因する音飛びを防ぎ、耐振性の向上を図るための処理である。
【００６４】
外部の衝撃や振動等よって装置Ａのトランスポート部１２の送信データが一時的に途絶えた場合でも、装置Ｂのメモリー１７内にはある量のデータが溜まっているため、当該データが読み出されて無くなるまでの間に、トランスポート部１２での再生が復帰すれば、音声データを途切れなしに再生することができる。
【００６５】
【発明の効果】
以上に記載したところから明らかなように、請求項１と請求項４に係る発明によれば、第１の装置と第２の装置との間のディジタル信号の送受信については各装置の送受信部を双方向通信用部材で接続することで行うことができるので、通信の接続関係が複雑化することがない。また、第２の装置内の変換部に対して安定した基準クロック信号を発生する基準クロック信号発生部を付設することによって信号伝送に伴う時間的変動の影響をなくして信号劣化を防止し、ジッター成分の極めて少ない信号を得ることができる。
【図面の簡単な説明】
【図１】本発明の基本構成を示すブロック図である。
【図２】データ残量若しくはメモリー残量とデータ転送速度との関係について説明するためのグラフ図である。
【図３】図４とともに本発明の実施例について説明するための図であり、本図は構成を示す回路ブロック図である。
【図４】制御例を示すフローチャート図である。
【図５】データ転送速度の決定権を装置Ａのマイクロコンピュータに付与した場合の制御例を示すフローチャート図である。
【図６】従来の構成例を示す回路ブロック図である。
【図７】高音質化を図るための従来の構成例を示す回路ブロック図である。
【図８】マイクロコンピュータ間の通信インターフェースを備えた従来の構成例を示す回路ブロック図である。
【符号の説明】
１…ディジタル信号伝送装置、Ａ…第１の装置、Ｂ…第２の装置、２、５…送受信部、３、８…制御部、４…双方向通信用部材、６…記憶部、７…変換部、９…基準クロック信号発生部
【図１】
0003952568.tif 000002
【図２】
0003952568.tif 000003
【図３】
0003952568.tif 000004
【図４】
0003952568.tif 000005
【図５】
0003952568.tif 000006
【図６】
0003952568.tif 000007
【図７】
0003952568.tif 000008
【図８】
0003952568.tif 000009